(57)【要約】【課題】比較的簡単な構造で、かつ、コンソールドアを内部トレイと共に開いてボックス本体の収納部を利用している際に、内部トレイが自重もしくは収納物の重量で閉じる方向へ倒れるのを防止する。【解決手段】ボックス本体１０に対してコンソールドア１２が開閉可能に組み付けられているとともに、このコンソールドアの内側に内部トレイ１８が設けられている形式のコンソールボックスであって、コンソールドア１２と内部トレイ１８とのロック、あるいはその解除操作が可能なロックストライカーと、ボックス本体１０の収納部１０ａを利用可能な状態において、コンソールドアと内部トレイとをロック状態に保持する補助ロック部材２４とを備えている。【選択図】図４
2008273292.tif 000002
【特許請求の範囲】
【請求項１】
ボックス本体に対してコンソールドアが開閉可能に組み付けられているとともに、このコンソールドアの内側に内部トレイが設けられ、コンソールドアをその内側に内部トレイが保持された状態で開くことによりボックス本体の収納部が利用可能となり、コンソールドアのみを開くことにより内部トレイの収納部が利用可能となる形式のコンソールボックスであって、
コンソールドアと内部トレイとのロック、あるいはその解除操作が可能なロックストライカーと、ボックス本体の収納部を利用可能な状態において、コンソールドアと内部トレイとをロック状態に保持する補助ロック部材とを備えているコンソールボックス。
【請求項２】
請求項１に記載されたコンソールボックスであって、
補助ロック部材は、内部トレイ側に配置され、かつ、常にロック方向へ付勢されているとともに、コンソールドアが閉ざされた状態ではボックス本体側との干渉によってロックが解除されるように設定されているコンソールボックス。
【請求項３】
請求項２に記載されたコンソールボックスであって、
補助ロック部材は、内部トレイに対してロックおよび解除方向へ回転可能に支持され、スプリングの弾性によってロック方向へ付勢されているコンソールボックス。
【発明の詳細な説明】
【技術分野】
【０００１】
本発明は、ボックス本体に加えて内部トレイを備え、ボックス本体の収納部あるいは内部トレイの収納部を選択的に利用できる形式のコンソールボックスに関する。
【背景技術】
【０００２】
この種のコンソールボックスは、例えば特許文献１に開示された技術が既に知られている。この文献からも明らかなように、ボックス本体にはコンソールドアがヒンジ軸によって回転可能に組み付けられ、このコンソールドア回転操作によってボックス本体の開放面を開閉できるようになっている。内部トレイは、コンソールドアの内側に配置され、コンソールドアのヒンジ軸と同軸心回りに回転できるように組み付けられている。
なお、特許文献１には明確に示されていないが、内部トレイはコンソールドアの内側に保持された状態にロックされ、コンソールドアと共にヒンジ軸の軸心回りに回転（開閉）操作される。したがって、コンソールドアをその内側に内部トレイが保持された状態で開くことにより、ボックス本体の収納部が利用可能となる。また、ロックを解除してコンソールドアのみを開くことにより、内部トレイの収納部が利用可能となる。
【特許文献１】特開２００３−２３７４７６号公報
【発明の開示】
【発明が解決しようとする課題】
【０００３】
ボックス本体の収納部を利用しているとき、つまりコンソールドアがその内側に内部トレイを保持した状態で開かれているときに、前述のロックが不注意などで解除されると、内部トレイがボックス本体の開放面を閉ざす方向へ倒れ込む場合がある。このときの内部トレイの回転は、その自重もしくは収納物の重量によっては高速となる。そこで、内部トレイを常に開く方向へスプリングの弾性によって付勢し、閉ざす方向への回転速度を抑えることが考えられる。その場合、コンソールドアのみを開いて内部トレイの収納部を利用しているときに、付勢力によって内部トレイがボックス本体側から浮き上がる（開く）のを防止するためのロック手段が余分に必要となる。
【０００４】
本発明は、このような課題を解決しようとするもので、その目的は、比較的簡単な構造で、かつ、コンソールドアを内部トレイと共に開いてボックス本体の収納部を利用している際に、内部トレイが自重もしくは収納物の重量で閉じる方向へ倒れるのを防止することである。
【課題を解決するための手段】
【０００５】
本発明は、上記の目的を達成するためのもので、以下のように構成されている。
第１の発明は、ボックス本体に対してコンソールドアが開閉可能に組み付けられているとともに、このコンソールドアの内側に内部トレイが設けられ、コンソールドアをその内側に内部トレイが保持された状態で開くことによりボックス本体の収納部が利用可能となり、コンソールドアのみを開くことにより内部トレイの収納部が利用可能となる形式のコンソールボックスであって、コンソールドアと内部トレイとのロック、あるいはその解除操作が可能なロックストライカーと、ボックス本体の収納部を利用可能な状態において、コンソールドアと内部トレイとをロック状態に保持する補助ロック部材とを備えている。
【０００６】
このように、ボックス本体の収納部を利用可能な状態においては、コンソールドアと内部トレイとが補助ロック部材によってロックされているので、この状態でロックストライカーによるロックを不用意に解除操作しても、内部トレイはコンソールドアの内側に保持される。したがって、比較的簡単な構造であるにもかかわらず、コンソールドアを内部トレイと共に開いてボックス本体の収納部を利用している際に、内部トレイが自重もしくは収納物の重量で閉じる方向へ倒れるのを防止できる。
【０００７】
第２の発明は、第１の発明において、補助ロック部材は、内部トレイ側に配置され、かつ、常にロック方向へ付勢されているとともに、コンソールドアが閉ざされた状態ではボックス本体側との干渉によってロックが解除されるように設定されている。
これにより、コンソールドアが閉ざされた状態において、該コンソールドアと内部トレイとをロックしているロックストライカーを解除する、といった通常の操作によってコンソールドアのみを開いてトレイの収納部を利用することができる。
【０００８】
第３の発明は、第２の発明において、補助ロック部材は、内部トレイに対してロックおよび解除方向へ回転可能に支持され、スプリングの弾性によってロック方向へ付勢されている。
これによって補助ロック部材が簡素化され、レイアウトの自由度が向上するとともにコストを抑えることができる。
【発明を実施するための最良の形態】
【０００９】
以下、本発明を実施するための最良の形態を、図面を用いて説明する。
図１〜図３に、コンソールボックスが外観斜視図で表されている。これらの図面で示すようにコンソールボックスの構成は、ボックス本体１０、コンソールドア１２および内部トレイ１８に大別される。そして、図１ではコンソールドア１２を閉じた状態が示されている。また、図２ではコンソールドア１２だけを開いた状態が示され、図３ではコンソールドア１２を内部トレイ１８と共に開いた状態が示されている。
コンソールドア１２は、図示外のヒンジアームおよびヒンジ軸を用いてボックス本体１０に組み付けられている。このヒンジ軸の軸心を支点としてコンソールドア１２を回転操作することで、ボックス本体１０の開放面（上面）を開閉することが可能である。内部トレイ１８においても、図示外の専用ヒンジアームを用いてコンソールドア１２と同じヒンジ軸に支持され、このヒンジ軸の軸心を支点として回転できるようになっている。ただし、コンソールドア１２を閉じた状態（図１）、あるいはコンソールドア１２を内部トレイ１８と共に開いた状態（図３）においては、内部トレイ１８はコンソールドア１２の内側に張り付いた状態に保持されている。
【００１０】
図４に、コンソールボックスの内部構造の概略が断面図で表されている。図５に、図４の一部が拡大断面図で表されている。図６に、図５とは別の箇所が拡大断面図で表されている。これらの図面からも明らかなように、コンソールドア１２の内側にはドアインナー１２ａが位置している。このドアインナー１２ａの前面側には、図４、図５で示す第１のロックストライカー２０と、図６で示す第２のロックストライカー２２がそれぞれ設けられている。両ロックストライカー２０，２２は、ドアインナー１２ａに対して個々の回転軸心２０ａ，２２ａを支点として回転可能に支持されている。これらの回転軸心２０ａ，２２ａは同軸線上に設定され、かつ、両ロックストライカー２０，２２はドアインナー１２ａの左右方向（幅方向）に関して相互に隣接して配置されている。
なお、図１〜図３に示されている二つの操作ノブ１４，１５は、コンソールドア１２の前面側から操作できるように設けられる。
【００１１】
第１のロックストライカー２０は、ボックス本体１０とコンソールドア１２とをロックする機能を有する。すなわち、図１で示すようにコンソールドア１２を閉じた状態では、ロックストライカー２０のフック部２０ｂがボックス本体１０のロック係止面１０ｂに係止している（図５）。そして、ロックストライカー２０は、その回転軸心２０ａを支点としてフック部２０ｂをロック係止面１０ｂに係止させる回転方向（ロック方向）へスプリング力で付勢されている。
第２のロックストライカー２２は、コンソールドア１２と内部トレイ１８とをロックする機能を有する。このロックストライカー２２のフック部２２ｂは、コンソールドア１２を閉じた状態において内部トレイ１８のロック係止面１８ｂに係止している（図６）。第２のロックストライカー２２においても、その回転軸心２２ａを支点としてフック部２２ｂをロック係止面１８ｂに係止させる回転方向（ロック方向）へスプリング力で付勢されている。
【００１２】
図１〜図３に示されている二つの操作ノブ１４，１５のうち、例えば操作ノブ１４を操作すると、第１のロックストライカー２０が回転軸心２０ａを支点としてロック解除方向へ回転操作される。この結果、ロックストライカー２０のフック部２０ｂがボックス本体１０のロック係止面１０ｂから外れ、ボックス本体１０とコンソールドア１２とのロックが解除される。このとき、コンソールドア１２と内部トレイ１８とは、第２のロックストライカー２２によってロック状態に保持されている。
これに対し、他方の操作ノブ１５を操作すると、第２のロックストライカー２２が回転軸心２２ａを支点としてロック解除方向へ回転操作される。これにより、ロックストライカー２２のフック部２２ｂが内部トレイ１８のロック係止面１８ｂから外れ、コンソールドア１２と内部トレイ１８とのロックが解除される。このとき、第２のロックストライカー２２に同期して第１のロックストライカー２０も回転し、ボックス本体１０とコンソールドア１２とのロックが解除されるように設定されている。
【００１３】
図４、図５で示すように内部トレイ１８における前面側の下面には、補助ロック部材２４が設けられている。この補助ロック部材２４は、コンソールドア１２と内部トレイ１８とをロックしている第２のロックストライカー２２の機能を補助するものである。
図７に、図５のA-A矢視方向の拡大断面図が表されている。この図面からも明らかなように、補助ロック部材２４の両側部から左右に突出した軸部２４ａが、内部トレイ１８に形成された一対の軸受け部１８ｃに回転可能に支持されている。この補助ロック部材２４は、軸部２４ａの上部に位置するフック部２４ｂを有する。このフック部２４ｂは、ドアインナー１２ａのロック係止面１２ｂに係止可能に位置している（図５）。また、補助ロック部材２４は、軸部２４ａから前方へ突出した突出片２４ｃを有する。この突出片２４ｃは、コンソールドア１２を閉じた状態においてボックス本体１０の受け面１０ｃで受け止められており、それによってフック部２４ｂがロック係止面１２ｂから外れたロック解除状態に規制されている。ただし、補助ロック部材２４に対しては、軸部２４ａの外周に組み付けられたスプリング２４ｄの弾性により、そのフック部２４ｂをロック係止面１２ｂに係止させるロック方向への付勢力が作用している。
【００１４】
つづいて、コンソールボックスの使用について説明する。
まず、図１で示す状態から図２で示すようにコンソールドア１２を開いて内部トレイ１８の収納部１８ａを利用する場合について説明する。この場合は、既に説明したように二つの操作ノブ１４，１５のうち、一方の操作ノブ１５を操作することによって図６で示す第２のロックストライカー２２が前述したロック解除方向へ回転操作され、コンソールドア１２と内部トレイ１８とのロックが解除される。そして、これに同期して図４および図５で示す第１のロックストライカー２０も前述したロック解除方向へ回転操作され、ボックス本体１０とコンソールドア１２とのロックが解除される。また、補助ロック部材２４についても、既に説明したようにフック部２４ｂがロック係止面１２ｂから外れたロック解除状態に規制されている。この結果、内部トレイ１８をボックス本体１０側に残してコンソールドア１２のみが開かれ、内部トレイ１８の収納部１８ａに対する小物などの出し入れが可能となる。
【００１５】
つぎに、図１で示す状態から図３で示すようにコンソールドア１２を内部トレイ１８と一緒に開いて、ボックス本体１０の収納部１０ａを利用する場合について説明する。この場合は他方の操作ノブ１４を操作することにより、図４および図５で示す第１のロックストライカー２０がロック解除方向へ回転操作され、ボックス本体１０とコンソールドア１２とのロックが解除される。このとき、第２のロックストライカー２２は、コンソールドア１２と内部トレイ１８とをロックしたままである。したがって、内部トレイ１８はコンソールドア１２の内側に張り付いた状態に保持され、この状態でコンソールドア１２が開かれることにより、ボックス本体１０の収納部１０ａに対する小物などの出し入れが可能となる。なお、コンソールドア１２を内部トレイ１８と共に開いた状態が、図４の仮想線で示されている。
【００１６】
このようにコンソールドア１２を内部トレイ１８と共に開いた状態では、この内部トレイ１８に設けられている補助ロック部材２４の突出片２４ｃが、ボックス本体１０の受け面１０ｃから外れて規制が解除される。その結果、補助ロック部材２４がスプリング２４ｄの付勢力によって軸部２４ａの軸心回りに回転し、そのフック部２４ｂがドアインナー１２ａのロック係止面１２ｂに係止する（図４の仮想線）。したがって、ボックス本体１０の収納部１０ａを利用している状態でのコンソールドア１２と内部トレイ１８とは、第２のロックストライカー２２に加えて補助ロック部材２４によってもロックされている。
そこで、図３で示す状態において不用意に操作ノブ１５が操作され、第２のロックストライカー２２がロック解除方向へ回転操作されても、補助ロック部材２４は図４の仮想線で示すようにコンソールドア１２と内部トレイ１８とをロックした状態に保たれている。これにより、ボックス本体１０の収納部１０ａを利用しているときに操作ノブ１５が操作されても、内部トレイ１８がその自重あるいは収納物の重量でボックス本体１０側に倒れ込むことは防止される。
【００１７】
また、コンソールドア１２を閉じた状態での補助ロック部材２４は、前述のようにロック解除状態に保たれているので、コンソールドア１２のみを開いて内部トレイ１８の収納部１８ａを利用する場合に、補助ロック部材２４のロックを解除するための操作機構などを必要としない。つまり、従前のものと同様に操作ノブ１４を操作して第１のロックストライカー２０によるロックを解除するだけで、内部トレイ１８の収納部１８ａを利用することができる。しかも、補助ロック部材２４は内部トレイ１８に対し、スプリング２４ｄによる付勢力を付与して組み付けただけの構成であり、その構成や配置箇所の選択が容易となる。
【００１８】
以上は本発明を実施するための最良の形態を図面に関連して説明したが、この実施の形態は本発明の趣旨から逸脱しない範囲で容易に変更または変形できるものである。
例えば、補助ロック部材２４においては、コンソールドア１２の左右中央に配置することが好ましいが、周辺部材との関係で左右いずれかにオフセットさせても機能上は満足できる。また、補助ロック部材２４の突出片２４ｃは、ボックス本体１０の受け面１０ｃに干渉させているが、コンソールボックスの前面側に意匠パネルなどの部材がある場合は、その部材に受け面１０ｃを設けることもできる。
さらに、補助ロック部材２４を内部トレイ１８に対してスライド可能に取り付け、スライドによってコンソールドア１２と内部トレイ１８とのロックあるいはロック解除を行う構成に代えることも可能である。
【図面の簡単な説明】
【００１９】
【図１】コンソールドアを閉じた状態のコンソールボックスを表した外観斜視図
【図２】コンソールドアだけを開いた状態のコンソールボックスを表した外観斜視図
【図３】コンソールドアを内部トレイと共に開いた状態のコンソールボックスを表した外観斜視図
【図４】コンソールボックスの内部構造の概略を表した断面図
【図５】図４の一部を表した拡大断面図
【図６】図５とは別の箇所を表した拡大断面図
【図７】図５のA-A矢視方向の拡大断面図
【符号の説明】
【００２０】
１０ ボックス本体
１０ａ  収納部
１２ コンソールドア
１８ 内部トレイ
１８ａ  収納部
２２ ロックストライカー
２４ 補助ロック部材
【図１】
2008273292.tif 000003
【図２】
2008273292.tif 000004
【図３】
2008273292.tif 000005
【図４】
2008273292.tif 000006
【図５】
2008273292.tif 000007
【図６】
2008273292.tif 000008
【図７】
2008273292.tif 000009